(57)【要約】【課題】簡素な構造で、水中で蓋体の開閉動作を行うことなく、確実に撒餌を撒布することができ、仕掛けへの着脱作業も容易で、取扱い性に優れる釣用撒餌カゴを提供する。【解決手段】金属又は合成樹脂で上部開口１３を有する有底筒型に形成され、撒餌が収容されるカゴ本体１１と、上部開口１３を開閉する蓋体１８と、カゴ本体１１の上縁に蓋体１８の一側部を回動可能に連結するヒンジ部１９と、上部開口１３を蓋体１８で閉塞した状態でカゴ本体１１に蓋体１８を固定する固定手段２０とを備え、カゴ本体１１の周壁部１５及び／又は底部１６に複数の撒餌排出孔１２が形成されている。【選択図】図１
0003228122.tif 000002
【実用新案登録請求の範囲】
【請求項１】
サビキ釣り及びカゴ釣りの仕掛けに用いられる釣用撒餌カゴであって、
金属又は合成樹脂で上部開口を有する有底筒型に形成され、撒餌が収容されるカゴ本体と、前記上部開口を開閉する蓋体と、前記カゴ本体の上縁に前記蓋体の一側部を回動可能に連結するヒンジ部と、前記上部開口を前記蓋体で閉塞した状態で前記カゴ本体に該蓋体を固定する固定手段とを備え、前記カゴ本体の周壁部及び／又は底部に複数の撒餌排出孔が形成されていることを特徴とする釣用撒餌カゴ。
【請求項２】
請求項１記載の釣用撒餌カゴにおいて、前記固定手段は、前記カゴ本体の上部周縁に設けられ、前記上部開口の閉塞時に前記蓋体の上縁に係合する１又は複数の突起部を有することを特徴とする釣用撒餌カゴ。
【請求項３】
請求項１又は２記載の釣用撒餌カゴにおいて、前記カゴ本体の上部に着脱可能に取り付けられ、頂部に道糸又はハリスが接続される吊下げ部材を有することを特徴とする釣用撒餌カゴ。
【請求項４】
請求項３記載の釣用撒餌カゴにおいて、前記吊下げ部材は、正面視して上に凸の円弧状に湾曲した湾曲部と、該湾曲部の両端から下方に延設され前記上部開口から前記カゴ本体の内部に挿通される左右の延設部と、該各延設部の下端に外向きに形成された左右一対のフック部とを有し、前記カゴ本体の上部には前記各フック部がそれぞれ係止される係止孔が形成され、前記蓋体には前記上部開口を閉塞した状態で前記各延設部がそれぞれ通過可能な切り欠き部が形成されていることを特徴とする釣用撒餌カゴ。
【請求項５】
請求項１〜４のいずれか１記載の釣用撒餌カゴにおいて、前記蓋体に１又は複数の上部撒餌排出孔が形成されていることを特徴とする釣用撒餌カゴ。
【考案の詳細な説明】
【技術分野】
【０００１】
本考案は、サビキ釣り及びカゴ釣りの仕掛けに用いられる釣用撒餌カゴに関する。
【背景技術】
【０００２】
従来、サビキ釣り及びカゴ釣りでは、撒餌（コマセ）を詰めたカゴを仕掛けに取り付け、竿を上下に動かすことにより、撒餌をカゴの網目（開口）から海中に撒き、撒餌に寄って来た魚を針に食い付かせている。そして、集魚効果を高めるために、例えば、特許文献１〜３に示すような様々な釣用撒餌カゴが提案されている。
【先行技術文献】
【特許文献】
【０００３】
【特許文献１】特開２０１５−２０８３２２号公報
【特許文献２】特開２００１−２２４２９１号公報
【特許文献３】実開平６−４１４８１号公報
【考案の概要】
【考案が解決しようとする課題】
【０００４】
しかしながら、特許文献１では、網籠本体が目的のポイントに達した時に道糸をしゃくることにより、網籠蓋支持ボルトに装着されたバネを伸縮させて撒き餌放出開閉蓋（蓋体）を上下に移動させ、網籠本体の上部に形成された撒き餌放出挿入孔から撒き餌を流出させている。そのため、構造が複雑で、耐久性及び動作の安定性に欠けるという課題がある。特許文献２では、餌籠本体に収容された撒き餌を途中で流出させることなく、水底の周辺部で撒布するために、餌籠本体が水底に達した時に餌籠本体を反転させ、餌籠本体に収容された蓋体開放用重りを下方に（餌籠本体の開口部を閉じている蓋体に向かって）移動させることにより、蓋体を開放している。そのため、構造及び動作が複雑で、動作の安定性に欠けるという課題がある。特に、餌籠本体の内部には、蓋体開放用重りだけでなく、撒き餌が収容されているので、撒き餌に邪魔されて蓋体開放用重りがスムーズに移動することができず、蓋体を開放できないおそれがある。特許文献３では、遠投された撒き餌籠が錘蓋（蓋体）側を前方にして飛んで行き、錘蓋側から水面に落下することにより、水面に落下したときの水面の抵抗（衝撃）で錘蓋が押され、ロックバネが開いて錘蓋が開放される。そのため、錘蓋側から水面に落下して所定の力が加わらなければ錘蓋を開放することができず、動作の確実性に欠けるという課題がある。また、特許文献１〜３は、いずれも釣用撒餌カゴの蓋体を開閉させるための構造に関する発明又は考案であり、仕掛けに対する釣用撒餌カゴの着脱作業性については検討されていない。
【０００５】
本考案は、かかる事情に鑑みてなされたもので、簡素な構造で、水中で蓋体の開閉動作を行うことなく、確実に撒餌を撒布することができ、仕掛けへの着脱作業も容易で、取扱い性に優れる釣用撒餌カゴを提供することを目的とする。
【課題を解決するための手段】
【０００６】
前記目的に沿う本考案に係る釣用撒餌カゴは、サビキ釣り及びカゴ釣りの仕掛けに用いられる釣用撒餌カゴであって、
金属又は合成樹脂で上部開口を有する有底筒型に形成され、撒餌が収容されるカゴ本体と、前記上部開口を開閉する蓋体と、前記カゴ本体の上縁に前記蓋体の一側部を回動可能に連結するヒンジ部と、前記上部開口を前記蓋体で閉塞した状態で前記カゴ本体に該蓋体を固定する固定手段とを備え、前記カゴ本体の周壁部及び／又は底部に複数の撒餌排出孔が形成されている。
【０００７】
本考案に係る釣用撒餌カゴにおいて、前記固定手段は、前記カゴ本体の上部周縁に設けられ、前記上部開口の閉塞時に前記蓋体の上縁に係合する１又は複数の突起部を有することが好ましい。
【０００８】
本考案に係る釣用撒餌カゴにおいて、前記カゴ本体の上部に着脱可能に取り付けられ、頂部に道糸又はハリスが接続される吊下げ部材を有することができる。
【０００９】
本考案に係る釣用撒餌カゴにおいて、前記吊下げ部材は、正面視して上に凸の円弧状に湾曲した湾曲部と、該湾曲部の両端から下方に延設され前記上部開口から前記カゴ本体の内部に挿通される左右の延設部と、該各延設部の下端に外向きに形成された左右一対のフック部とを有し、前記カゴ本体の上部には前記各フック部がそれぞれ係止される係止孔が形成され、前記蓋体には前記上部開口を閉塞した状態で前記各延設部がそれぞれ通過可能な切り欠き部が形成されてもよい。
【００１０】
本考案に係る釣用撒餌カゴにおいて、前記蓋体に１又は複数の上部撒餌排出孔が形成されていることが好ましい。
【考案の効果】
【００１１】
本考案に係る釣用撒餌カゴは、撒餌が収容されるカゴ本体の上部開口を開閉する蓋体の一側部を、ヒンジ部を介してカゴ本体の上縁に回動可能に連結することにより、上部開口全体を開放してカゴ本体の内部に容易に撒餌を収容することができると共に、固定手段で蓋体を固定して上部開口を閉塞した状態でも、カゴ本体の周壁部及び／又は底部に形成された複数の撒餌排出孔から確実かつ効率的に撒餌を撒布して集魚効果を高めることができる。
【００１２】
固定手段が、カゴ本体の上部周縁に設けられ、上部開口の閉塞時に蓋体の上縁に係合する１又は複数の突起部を有する場合、遠投により空中を移動（飛翔）する時、水面に着水する時、及び水中（海中）を移動する時に外力（抵抗及び衝撃）を受けても蓋体が開くことはなく、所望のポイントで釣用撒餌カゴを上下動させることにより、撒餌を無駄にせず効果的に撒布することができる。
【００１３】
カゴ本体の上部に着脱可能に取り付けられ、頂部に道糸又はハリスが接続される吊下げ部材を有する場合、予め吊下げ部材の頂部に道糸又はハリスを接続しておけば、吊下げ部材から取り外したカゴ本体に撒餌を収容して簡単に吊下げ部材に取り付けることができる。また、予め撒餌が収容された複数のカゴ本体を準備しておけば、先に取り付けたカゴ本体の撒餌が無くなる度に、カゴ本体にその場で撒餌を詰める代わりに、撒餌が収容された別のカゴ本体に素早く交換することができ、手を汚すことがなく、作業性に優れる。
【００１４】
吊下げ部材は、正面視して上に凸の円弧状に湾曲した湾曲部と、湾曲部の両端から下方に延設され上部開口からカゴ本体の内部に挿通される左右の延設部と、各延設部の下端に外向きに形成された左右一対のフック部とを有し、カゴ本体の上部には各フック部がそれぞれ係止される係止孔が形成され、蓋体には上部開口を閉塞した状態で各延設部がそれぞれ通過可能な切り欠き部が形成されている場合、蓋体で各延設部の動作を規制し、各フック部が係止孔から外れることを防止できると共に、必要時は蓋体を開きながら吊下げ部材を変形させることにより、吊下げ部材の着脱を容易に行うことができる。
【００１５】
蓋体に１又は複数の上部撒餌排出孔が形成されている場合、蓋体で上部開口を閉塞した状態でも上部撒餌排出孔から撒餌を撒布することができ、水中（海中）での蓋体の開閉動作が不要となり、撒餌の撒布動作の確実性に優れる。
【図面の簡単な説明】
【００１６】
【図１】本考案の一実施の形態に係る釣用撒餌カゴの使用状態を示す正面図である。
【図２】同釣用撒餌カゴの使用状態を示す側面図である。
【図３】同釣用撒餌カゴのカゴ本体に吊下げ部材を取り付けた状態を示す平面図である。
【図４】同釣用撒餌カゴのカゴ本体の上部開口を開いた状態を示す側面図である。
【図５】同釣用撒餌カゴのカゴ本体への吊下げ部材の取り付け方を示す側面図である。
【考案を実施するための形態】
【００１７】
続いて、添付した図面を参照しつつ、本考案を具体化した実施の形態につき説明し、本考案の理解に供する。
図１、図２に示す本考案の一実施の形態に係る釣用撒餌カゴ１０は、サビキ釣り及びカゴ釣りの仕掛けに用いられ、カゴ本体１１に収容される撒餌（コマセ）を複数の撒餌排出孔１２から水中（海中）に撒布して集魚効果を高めるものである。
釣用撒餌カゴ１０において、撒餌が収容されるカゴ本体１１は、図１〜図５に示すように、ステンレス等の金属又はポリカーボネート若しくはポリプロピレン等の合成樹脂で上部開口１３を有する有底筒型に形成されている。本実施の形態では、カゴ本体１１の周壁部１５に長方形状の複数の撒餌排出孔１２を形成したが、撒餌排出孔の形状、大きさ、数及び配置は、適宜、選択することができる。例えば、カゴ本体１１の周壁部１５及び底部１６に撒餌排出孔を形成してもよいし、底部１６のみに撒餌排出孔を形成してもよい。なお、撒餌排出孔の形状及び大きさは同一である必要はなく、場所によって異なっていてもよい。また、本実施の形態では、カゴ本体１１の底部１６を下方に向かって膨出した（下に凸の）球面状に湾曲させたが、底部の形状は、適宜、選択することができ、例えば、平坦状でもよいし、円錐状でもよい。
【００１８】
釣用撒餌カゴ１０は、上部開口１３を開閉する蓋体１８と、カゴ本体１１の上縁に蓋体１８の一側部を回動可能に連結するヒンジ部１９を有している。これにより、蓋体１８を回動させて上部開口１３を開閉することができる。なお、蓋体１８の材質としては、カゴ本体１１と同様のものが好適に用いられるが、両者の材質は同一でも異なっていてもよい。また、釣用撒餌カゴ１０は、上部開口１３を蓋体１８で閉塞した状態でカゴ本体１１に蓋体１８を固定する固定手段２０を備えている。これにより、必要時（カゴ本体１１への撒餌の出し入れ等を行う時）以外は、カゴ本体１１の上面に蓋体１８を固定して上部開口１３を閉塞することができ、遠投された釣用撒餌カゴ１０が空中及び水中（海中）を移動している最中に上部開口１３が開くことはなく、撒餌が無駄に撒布されることを防止できる。
【００１９】
本実施の形態では、固定手段２０が、カゴ本体１１の上部周縁（ここでは、ヒンジ部１９と対向する位置（カゴ本体１１の背面側））に設けられ、上部開口１３の閉塞時に蓋体１８の上縁に係合する１つの突起部２１を備える構造としたが、固定手段の構造は、これに限定されるものではなく、突起部の形状、数及び配置は、適宜、選択することができる。また、本実施の形態では、蓋体１８がスムーズに閉じたり開いたりできるように、突起部２１に対応させて蓋体１８の周縁に下側テーパ部２２及び上側テーパ部２３を形成したが、下側テーパ部及び上側テーパ部の形状（傾き）は、突起部の形状に応じて、適宜、選択することができ、上側テーパ部を省略することもできる。なお、蓋体１８に上部撒餌排出孔２４を形成することにより、上部開口１３が蓋体１８で閉じられていても、上部撒餌排出孔２４から撒餌を排出することができ、撒餌を効果的に撒布することができる。但し、上部撒餌排出孔の形状、大きさ、数及び配置は、適宜、選択することができ、省略することもできる。
【００２０】
釣用撒餌カゴ１０は、図１、図２に示すように、カゴ本体１１の上部に着脱可能に取り付けられ、頂部の上部接続環２５にサルカン（スイベル又はヨリモドシとも言う）２６を介して道糸２７（又はハリス）が接続される吊下げ部材２８を有している。この吊下げ部材２８は、図１〜図３、図５に示すように、正面視して上に凸の円弧状に湾曲した湾曲部２９と、湾曲部２９の両端から下方に延設され上部開口１３からカゴ本体１１の内部に挿通される左右の延設部３０ａ、３０ｂと、各延設部３０ａ、３０ｂの下端に外向きに形成された左右一対のフック部３１ａ、３１ｂとを有している。そして、図１〜図５に示すように、カゴ本体１１の上部には、各フック部３１ａ、３１ｂがそれぞれ係止される係止孔３２ａ、３２ｂが形成され、蓋体１８には、上部開口１３を閉塞した状態で各延設部３０ａ、３０ｂがそれぞれ通過可能な切り欠き部３３ａ、３３ｂが形成されている。
【００２１】
従って、図１〜図３に示すように、カゴ本体１１に吊下げ部材２８が取り付けられた状態では、延設部３０ａ、３０ｂが、カゴ本体１１の周壁部１５と蓋体１８との間に挟まれている。これにより、吊下げ部材２８の変形（延設部３０ａ、３０ｂの幅方向（図１の左右方向）の移動）が防止され、フック部３１ａ、３１ｂが係止孔３２ａ、３２ｂから外れる（抜ける）ことがなく、吊下げ部材２８を所定の位置に固定（保持）することができる。そして、カゴ本体１１から吊下げ部材２８を取り外す場合には、図５に示すように、蓋体１８と延設部３０ａ、３０ｂが干渉しないように蓋体１８を少しだけ持ち上げ、延設部３０ａ、３０ｂが近付くように吊下げ部材２８を変形させる。これにより、フック部３１ａ、３１ｂが係止孔３２ａ、３２ｂから外れるので、蓋体１８と吊下げ部材２８を一緒に持ち上げるようにしてカゴ本体１１の正面側（図５の左側）に回動させることにより、吊下げ部材２８を取り外すことができる。
【００２２】
釣用撒餌カゴ１０を使用する（カゴ本体１１に吊下げ部材２８を取り付ける）際には、まず、図４に示すように、カゴ本体１１が空の状態で蓋体１８を持ち上げてカゴ本体１１の正面側（図４の左側）に回動させ、上部開口１３からカゴ本体１１の内部に撒餌を投入する。その後、吊下げ部材２８の左右の延設部３０ａ、３０ｂを切り欠き部３３ａ、３３ｂの位置に合わせ、吊下げ部材２８で蓋体１８を挟むように（左右の延設部３０ａ、３０ｂが近付くように）吊下げ部材２８を変形させる。その状態で、蓋体１８と吊下げ部材２８を一緒にカゴ本体１１の背面側（図５の右側）に回動させてフック部３１ａ、３１ｂを上部開口１３からカゴ本体１１の中に挿通する。さらに、蓋体１８と吊下げ部材２８を回動させ、フック部３１ａ、３１ｂが係止孔３２ａ、３２ｂと重なる位置に達したら、左右の延設部３０ａ、３０ｂの間隔を広げ、図５に示すように、フック部３１ａ、３１ｂを係止孔３２ａ、３２ｂに係止する。そして、蓋体１８の上縁が突起部２１に係合して上部開口１３が閉じられ、吊下げ部材２８の取り付けが完了する。
【００２３】
以上のように、カゴ本体と吊下げ部材が着脱可能となっているので、複数のカゴ本体を準備し、予め撒餌を収容しておけば、先に取り付けたカゴ本体の撒餌が無くなった時に、手を汚すことなく、撒餌が収容された別のカゴ本体に素早く短時間で交換することができ、作業性に優れる。
なお、本実施の形態では、図１、図２、図４、図５に示したように、カゴ本体１１の底部１６に下部接続環３５が形成されており、先端にハリ３６が取り付けられたハリス３７の基側が、サルカン３８を介して下部接続環３５に接続されているが、釣用撒餌カゴ１０の使用方法（取り付け位置）はこれに限定されるものではなく、仕掛けの種類に応じて、釣用撒餌カゴ１０の取り付け位置を適宜、選択することができる。例えば、サビキ釣りの場合、上カゴ式では、道糸とハリスの間（サビキ仕掛けの上側）に釣用撒餌カゴが取り付けられ、下カゴ式では、ハリス（サビキ仕掛け）の下側に釣用撒餌カゴが取り付けられる。よって、釣用撒餌カゴの取り付け位置により、吊下げ部材の頂部（上部接続環）に道糸が接続される場合と、ハリスが接続される場合がある。また、仕掛けの種類にもよるが、必要に応じて、カゴ本体１１の底部１６におもりを取り付けることができる。
【００２４】
以上、本考案の実施の形態を説明したが、本考案は、上記した形態に限定されるものではなく、要旨を逸脱しない条件の変更等は全て本考案の適用範囲である。
上記実施の形態では、吊下げ部材をバンド状の板材で形成したが、吊下げ部材は針金状の棒材で形成してもよい。また、吊下げ部材の材質としてはステンレス等の金属が好適に用いられるが、合成樹脂を用いてもよい。上部接続環及び下部接続環の形状は、適宜、選択できる。なお、図３及び図５では、上部接続環に接続されるサルカン及び道糸等を省略したが、これらは、カゴ本体と吊下げ部材を着脱する際に、吊下げ部材に接続されていても、接続されていなくてもよい。
【符号の説明】
【００２５】
１０：釣用撒餌カゴ、１１：カゴ本体、１２：撒餌排出孔、１３：上部開口、１５：周壁部、１６：底部、１８：蓋体、１９：ヒンジ部、２０：固定手段、２１：突起部、２２：下側テーパ部、２３：上側テーパ部、２４：上部撒餌排出孔、２５：上部接続環、２６：サルカン、２７：道糸、２８：吊下げ部材、２９：湾曲部、３０ａ、３０ｂ：延設部、３１ａ、３１ｂ：フック部、３２ａ、３２ｂ：係止孔、３３ａ、３３ｂ：切り欠き部、３５：下部接続環、３６：ハリ、３７：ハリス、３８：サルカン
【図１】
0003228122.tif 000003
【図２】
0003228122.tif 000004
【図３】
0003228122.tif 000005
【図４】
0003228122.tif 000006
【図５】
0003228122.tif 000007